(57)【要約】【課題】表示器に表示されている画像のファイル名をユーザに当てさせるゲームを行って、娯楽性を向上させた再生装置を提供する。【解決手段】制御部６は、光ディスク１００に記録されている４つの画像ファイルの内、任意の１つの画像ファイルに基づく画像の一部分を４倍に拡大した部分画像をテレビジョン１０１に表示する。さらに、制御部６は、光ディスク１００に記録されている４つの画像ファイルのファイル名をテレビジョン１０１にＯＳＤ表示する（図４Ａ参照）。制御部６は、複数のファイル名から正解のファイル名が選択キーで選択されたかどうかを判断する。そして、正解のファイル名が選択されると、制御部６は、選択されたファイル名が正しいことをテレビジョン１０１に表示する（図４Ｂ参照）。このようにして、光ディスク装置１は、画像ファイルを再生するだけでなく、それ以外の娯楽であるファイル名当てクイズをユーザに提供する。【選択図】  図４
2008182519.tif 000002
【特許請求の範囲】
【請求項１】
複数の画像ファイルが記録されているメディアから１つの画像ファイルを読取り、その画像ファイルの画像信号を自装置外部に出力する再生手段を備え、前記自装置から出力される信号を処理して画像を画面上に表示する表示器に接続されるＤＶＤプレーヤにおいて、
前記再生手段は、読取られた前記１つの画像ファイルに基づく画像の一部分を示す部分画像信号を生成して前記自装置外部に出力する部分画像生成部を有し、
前記部分画像生成部が前記部分画像信号を出力すると、前記メディアに記録されている前記複数の画像ファイルの内の少なくとも２つの画像ファイルのファイル名を示す第１のＯＳＤ信号を生成して前記自装置外部に出力するＯＳＤ表示手段と、
前記部分画像と前記少なくとも２つのファイル名とが前記表示器において表示された状態で、前記少なくとも２つのファイル名から１つのファイル名を選択するための選択手段と、を備え、
前記ＯＳＤ表示手段は、
前記選択手段で前記１つのファイル名が選択されると、その選択されたファイル名と前記部分画像の前記画像ファイルのファイル名とが一致するかどうかを判定し、
（１）前記両ファイル名が一致すると判定すると、前記選択されたファイル名が正しいことを示す第２のＯＳＤ信号を生成して前記自装置外部に出力し、
（２）前記両ファイル名が一致しないと判定すると、前記１つの画像ファイルに基づく画像の前記一部分より広い部分の画像を示す部分画像信号を生成して前記自装置外部に出力するよう前記再生手段に指示する指示処理と、前記第１のＯＳＤ信号を生成して前記自装置外部に出力する出力処理と、を実行し、
（３）前記第１のＯＳＤ信号を生成して前記自装置外部に出力してから一定時間以内に、前記１つのファイル名の選択が前記選択手段においてなされなかった場合、前記指示処理と前記出力処理とを実行するＤＶＤプレーヤ。
【請求項２】
複数の画像ファイルが記録されているメディアから１つの画像ファイルを読取り、その画像ファイルの画像信号を自装置外部に出力する再生手段を備え、前記自装置から出力される信号を処理して画像を画面上に表示する表示器に接続される再生装置において、
前記再生手段は、読取られた前記１つの画像ファイルに基づく画像の一部分を示す部分画像信号を生成して前記自装置外部に出力する部分画像生成部を有し、
前記部分画像生成部が前記部分画像信号を出力すると、前記メディアに記録されている前記複数の画像ファイルの内の少なくとも２つの画像ファイルのファイル名を示す第１のＯＳＤ信号を生成して前記自装置外部に出力するＯＳＤ表示手段と、
前記部分画像と前記少なくとも２つのファイル名とが前記表示器において表示された状態で、前記少なくとも２つのファイル名から１つのファイル名を選択するための選択手段と、を備え、
前記ＯＳＤ表示手段は、
前記選択手段で前記１つのファイル名が選択されると、その選択されたファイル名と前記部分画像の前記画像ファイルのファイル名とが一致するかどうかを判定し、
前記両ファイル名が一致すると判定すると、前記選択されたファイル名が正しいことを示す第２のＯＳＤ信号を生成して前記自装置外部に出力する再生装置。
【請求項３】
前記ＯＳＤ表示手段は、前記両ファイル名が一致しないと判定すると、前記１つの画像ファイルに基づく画像の前記一部分より広い部分の画像を示す部分画像信号を生成して前記自装置外部に出力するよう前記再生手段に指示する指示処理と、前記第１のＯＳＤ信号を生成して前記自装置外部に出力する出力処理と、を実行する請求項２に記載の再生装置。
【請求項４】
前記ＯＳＤ表示手段は、前記第１のＯＳＤ信号を生成して前記自装置外部に出力してから一定時間以内に、前記１つのファイル名の選択が前記選択手段においてなされなかった場合、前記指示処理と前記出力処理とを実行する請求項２又は３に記載の再生装置。
【発明の詳細な説明】
【技術分野】
【０００１】
本発明は、複数の画像ファイルが記録されているメディアから１つの画像ファイルを読取って再生する再生装置に関するものである。
【背景技術】
【０００２】
従来、写真等の静止画ファイルや映画等の動画ファイルなどの画像ファイルが記録されているメディアを再生する再生装置が実用化され、広く一般に普及している。再生装置は、例えば光ディスク装置、半導体メモリ再生プレーヤ、ハードディスクドライブ装置である。
【０００３】
通常の使用方法では再生装置に、モニタ等の表示器が接続される。ユーザは、例えば、自分が撮像した写真を記憶したメディアを再生装置にセットする。そして、ユーザが再生を指示すると、再生装置は、そのメディアから画像ファイルを読取って、画像信号を出力する。この結果、表示器は、再生装置から出力された信号を処理して写真の画像を画面上に表示する。
ユーザは、この表示器において、画面に映し出された写真（再生画像）を見ていた。
一方、特許文献１では、パチンコ機が提案されている。
【特許文献１】特開平４−７５６７４号公報
【発明の開示】
【発明が解決しようとする課題】
【０００４】
しかしながら、上記従来の再生装置における娯楽は、メディアに記録されているコンテンツのみに依存していた。即ち、メディアに記録されているコンテンツが画像ファイルであれば、再生装置は、画像ファイルを再生するだけであり、それ以外の娯楽をユーザに提供することはなかった。従って、上記従来の再生装置は、娯楽性が低かった。
【０００５】
本発明はこのような従来の課題を解決しようとするものであり、表示器に表示されている画像のファイル名をユーザに当てさせるゲームを行って、娯楽性を向上させた再生装置を提供することを目的とする。
【課題を解決するための手段】
【０００６】
本発明の再生装置は、前記課題を解決するために以下の構成を備えている。
【０００７】
（１）複数の画像ファイルが記録されているメディアから１つの画像ファイルを読取り、その画像ファイルの画像信号を自装置外部に出力する再生手段を備え、前記自装置から出力される信号を処理して画像を画面上に表示する表示器に接続される再生装置において、
前記再生手段は、読取られた前記１つの画像ファイルに基づく画像の一部分を示す部分画像信号を生成して前記自装置外部に出力する部分画像生成部を有し、
前記部分画像生成部が前記部分画像信号を出力すると、前記メディアに記録されている前記複数の画像ファイルの内の少なくとも２つの画像ファイルのファイル名を示す第１のＯＳＤ信号を生成して前記自装置外部に出力するＯＳＤ表示手段と、
前記部分画像と前記少なくとも２つのファイル名とが前記表示器において表示された状態で、前記少なくとも２つのファイル名から１つのファイル名を選択するための選択手段と、を備え、
前記ＯＳＤ表示手段は、
前記選択手段で前記１つのファイル名が選択されると、その選択されたファイル名と前記部分画像の前記画像ファイルのファイル名とが一致するかどうかを判定し、
前記両ファイル名が一致すると判定すると、前記選択されたファイル名が正しいことを示す第２のＯＳＤ信号を生成して前記自装置外部に出力する。
【０００８】
この構成において、再生装置は、例えば光ディスク装置、半導体メモリ再生プレーヤ、ハードディスクドライブ装置である。メディアは、光ディスク、半導体メモリ、ハードディスクである。表示器は、例えばモニタ、テレビジョンである。
この構成では、部分画像信号と第１のＯＳＤ信号とが自装置外部に出力されると、部分画像と少なくとも２つのファイル名とが表示器において表示される。そして、この状態でユーザは、表示器を確認しつつ、１つのファイル名を選択手段で選択する。
ユーザが１つのファイル名を選択手段で選択すると、ＯＳＤ表示手段は、上記の両ファイル名が一致するかどうかを判定する。そして、両ファイル名が一致すると判定すると、第２のＯＳＤ信号が自装置外部に出力される。これにより、ユーザは、選択したファイル名が正解であったことを知る。
以上より、光ディスク装置は、画像ファイルを再生するだけでなく、それ以外の娯楽であるファイル名当てクイズをユーザに提供している。従って、光ディスク装置の娯楽性を向上することができる。
【０００９】
（２）前記ＯＳＤ表示手段は、前記両ファイル名が一致しないと判定すると、前記１つの画像ファイルに基づく画像の前記一部分より広い部分の画像を示す部分画像信号を生成して前記自装置外部に出力するよう前記再生手段に指示する指示処理と、前記第１のＯＳＤ信号を生成して前記自装置外部に出力する出力処理と、を実行する。
【００１０】
この構成では、表示器で表示される画像の倍率を変えており、変更後の倍率における部分画像と第１のＯＳＤ信号に基づくＯＳＤ画像とを表示器で表示する。そして、この状態でユーザは、上記（１）と同様に、表示器を確認しつつ、１つのファイル名を選択手段で選択する。
以上より、光ディスク装置は、画像の倍率を変えることで、興趣に富んだファイル名当てクイズをユーザに提供している。従って、光ディスク装置の娯楽性を一層向上することができる。
【００１１】
（３）前記ＯＳＤ表示手段は、前記第１のＯＳＤ信号を生成して前記自装置外部に出力してから一定時間以内に、前記１つのファイル名の選択が前記選択手段においてなされなかった場合、前記指示処理と前記出力処理とを実行する。
【００１２】
この構成では、部分画像と少なくとも２つのファイル名とが表示器において表示された状態で、ユーザは、一定時間以内にファイル名を選択しなければならない。このため、ユーザに緊張感を持たせてファイル名を選択させることができる。
以上より、光ディスク装置１は、興趣に富んだファイル名当てクイズをユーザに提供している。従って、光ディスク装置１の娯楽性を一層向上することができる。
【発明の効果】
【００１３】
この発明によれば、光ディスク装置の娯楽性を向上することができる。
【発明を実施するための最良の形態】
【００１４】
以下、本発明の実施形態である光ディスク装置について説明する。
【００１５】
図１は、本発明の実施形態である光ディスク装置の主要な構成を示すブロック図である。光ディスク装置１は、所謂ＤＶＤプレーヤであり、装置本体１の各部の動作を制御する制御部６と、光ディスク１００に対しデータの読取を行うピックアップヘッド２（以下、PUヘッド２と称する。）と、RFアンプなどの再生回路３と、ユーザの操作を受け付ける操作部１０と、装置本体１を遠隔操作するリモコン１２と、を備えている。さらに、光ディスク装置１は、情報を表示する表示部９と、データを記憶する記憶部１１と、音声データをアナログの再生音声信号に変換する音声処理部５と、画像データをアナログの再生画像信号に変換すると、ＯＳＤ画像の信号を生成するOSD処理部８と、画像データの画像とＯＳＤ画像との合成画像を生成する画像合成部１３と、を備えている。
光ディスク１００は、例えばＣＤ、又はＤＶＤである。
【００１６】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射時間を調節する。また、アクチュエータは、対物レンズを光ディスク１００に接離する方向、及び光ディスク１００の半径方向に移動させる。
【００１７】
再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００１８】
再生回路３は、ＰＵヘッド２における複数の受光素子の出力に基づいてＲＦ信号を生成し、該ＲＦ信号を増幅する。そして、再生回路３は、該ＲＦ信号を処理して画像と音声のデータを取り出す。ここで、取り出される画像データは、例えばＪＰＥＧやＭＰＥＧでエンコードされている。そして、再生回路３は、これらのデータをデコードする。そして、再生回路３は、デコード後の音声データを音声処理部５に、デコード後の画像データを画像合成部１３に、これらのデータの同期を取りながら、それぞれ出力する。
【００１９】
または、再生回路３は、制御部６の指示に基づいて、デコード後の画像データを部分画像信号に変換して、画像合成部１３に出力する。詳述すると、再生回路３は、デコード後の画像データに基づく画像の一部分を拡大して、その一部分を示す部分画像信号を生成する。そして、再生回路３は、その部分画像信号を画像合成部１３に出力する。
【００２０】
なお、再生回路３は、ＲＦ信号を処理して取り出されるデータが画像データのみの場合、画像データのみを処理する。
【００２１】
音声処理部５は、音声データをアナログの再生音声信号に変換し、その再生音声信号を外部のテレビジョン１０１に出力する。
なお、テレビジョン１０１がディジタル対応（例えばＨＤＭＩ規格）であれば、ディジタルで出力しても構わない。
【００２２】
OSD処理部８は、不図示のＯＳＤ画像メモリ（不図示）を内蔵する。ＯＳＤ画像メモリは、例えばフラッシュメモリで構成される。OSD処理部８は、制御部６から与えられる制御信号に基づいて、ＯＳＤ画像メモリが記憶しているデータから、ＯＳＤ画像を示すＯＳＤ信号を生成する。このＯＳＤ画像は、文字又は図形で構成される。そして、OSD処理部８は、ＯＳＤ信号を画像合成部１３へ出力する。
【００２３】
画像合成部１３は、制御部６から与えられる制御信号に基づいて、再生回路３から出力された画像データに基づく画像に、OSD処理部８から出力されたＯＳＤ信号に基づくＯＳＤ画像を合成した合成画像を生成する。そして、画像合成部１３は、この合成画像の信号をアナログの再生画像信号に変換し、外部のテレビジョン１０１に出力する。
【００２４】
又は、画像合成部１３は、再生回路３から出力された画像データをアナログの再生画像信号に変換し、外部のテレビジョン１０１に出力する。又は、画像合成部１３は、OSD処理部８から出力されたＯＳＤ信号をアナログの再生画像信号に変換し、外部のテレビジョン１０１に出力する。
なお、テレビジョン１０１がディジタル対応（例えばＨＤＭＩ規格）であれば、ディジタルで出力しても構わない。
【００２５】
音声処理部５及び画像合成部１３には、テレビジョン１０１が接続される。テレビジョン１０１は、光ディスク装置1から出力された信号を処理して、画像を画面上に表示したり音声を放音したりする。
ユーザは、このテレビジョン１０１において、音声処理部５及び画像合成部１３から出力された再生画像信号に基づく画像、及び再生音声信号に基づく音声を視聴することができる。
なお、画像データのみが記録された光ディスク１００を再生する場合、ユーザは、このテレビジョン１０１において、画像合成部１３から出力された再生画像信号に基づく画像のみを視ることができる。
【００２６】
操作部１０は、ユーザが光ディスク装置１に対して各種の命令（コマンド）を入力するためのものである。操作部１０には、ユーザの操作を受け付ける複数のキーが設けられている。光ディスク装置１に対してユーザが入力したコマンドは制御部６に伝送される。
複数のキーの中には、光ディスク１００の再生を指示するための再生キー、光ディスク１００の再生等の停止を指示するための停止キー、後述の図３で示すクイズモードの指定を受け付けるクイズモードキー、選択肢から１つのファイル名を選択するための選択キー、が含まれる。
【００２７】
操作部１０には、リモコン信号検出部（不図示）が設けられている。リモコン信号検出部に対し、装置本体の外部からリモコン１２を用いて、電源のON／OFF、チャンネルの切替え、音量の調整等の命令が入力されると、リモコン信号検出部は、リモコン１２からの命令信号を受信して制御部６に伝送する。リモコン１２には、操作部１０と同様のキーが設けられている。
【００２８】
表示部９は、時刻、光ディスク装置１の設定状態などを表示する。
【００２９】
記憶部１１は、例えばハードディスクやＥＥＰＲＯＭで構成されており、装置本体１の主制御プログラムを記憶する。
【００３０】
制御部６は、例えばマイクロコンピュータで構成される。また、制御部６は、上記の主制御プログラムなどを展開するワークフィールドとしてのＲＡＭ（不図示）と、後述の図３においてクイズ時間を計測するタイマー回路（不図示）と、後述の図３において正解数と出題数とをカウントするカウンタ（不図示）と、を内蔵する。制御部６は、光ディスク装置１にユーザから入力された命令に応じて光ディスク装置１の各部を制御する。
【００３１】
なお、実際の光ディスク装置では、読取時に、レーザ光の照射時間を光ディスクのトラックの中心に合わせるトラッキングサーボ制御と、レーザ光の合焦時間を光ディスクの記録面に合わせるフォーカスサーボ制御と、を行っているが、本発明の実施形態では図示を省略している。
【００３２】
ここで、ＰＵヘッド２、再生回路３、音声処理部５、及び画像合成部１３が、本発明の「再生手段」に相当する。制御部６、ＯＳＤ処理部８、画像合成部１３が、本発明の「ＯＳＤ表示手段」に相当する。操作部１０及びリモコン１２が、本発明の「選択手段」に相当する。
また、この実施形態では、表示器としてテレビジョン１０１を用いているが、実施の際は、モニタでも構わない。
【００３３】
図２は、光ディスク１００に記録されている画像ファイルの一覧を示す図である。光ディスク１００には、複数の画像ファイル２０１〜２０４が記録されている。
ここで、画像ファイル２０１〜２０４を代表して画像ファイル２０１について説明する。図２に示すように、画像ファイル２０１のファイル名は、「妙義山１日目」である。その拡張子は、「ｊｐｇ」である。同様に、その他の画像ファイル２０２〜２０４についてもファイル名や拡張子が図２に示されている。
なお、この実施形態では、ｊｐｇを採用しているが、実施の際は、その他のファイル形式（ｍｐｇ、ｂｍｐなど）でも構わない。
【００３４】
図３は、本発明の実施形態である光ディスク装置の制御部が行う動作を示すフローチャートである。この動作は、ユーザが光ディスク１００を光ディスク装置１にセットして、操作部１０のクイズモードキーを押下した時の動作である。
【００３５】
クイズモードがクイズモードキーによって指定されると、制御部６は、光ディスク１００に記録されている画像ファイル数が所定数以上あるかどうかを判断する（Ｓ１）。この判断は、制御部６が光ディスク１００の制御情報をＰＵヘッド２に確認させることにより行われる。制御情報は、例えば光ディスク１００のリードイン領域にあるＴＯＣデータである。所定数は、例えば２つである。この所定数は、ファイル名を当てさせるクイズゲームが成立するか否かの観点から定められる。例えば画像ファイルが１つであれば、後述のＳ６において選択させる選択肢も１つだけとなり、クイズゲームが成立しないことになる。
【００３６】
画像ファイル数が所定数未満であると判断すると、制御部６は、本処理を終了する。クイズゲームが成立しないためである。
【００３７】
一方、画像ファイル数が所定数以上であると判断すると、制御部６は、内蔵のタイマー回路において、クイズ時間の計測を開始する（Ｓ２）。このクイズ時間は、後述のＳ１７の判断において用いられる。
なお、実施の際は、Ｓ２の処理をスルーしても構わない。
【００３８】
そして、制御部６は、現在の出題数を表示して、クイズの出題を開始する（Ｓ３）。
【００３９】
図４は、クイズの出題例を示す図である。図４Ａでは、画像ファイル２０２に基づく画像の一部分を４倍に拡大した部分画像と、正解のファイル名を含む４つのファイル名と、が表示されている。図４Ｂについては後述する。
【００４０】
制御部６は、光ディスク１００に記録されている４つの画像ファイルの内、任意の１つの画像ファイルに基づく画像の一部分をＸ倍に拡大した部分画像をテレビジョン１０１に表示する（Ｓ４）。詳述すると、制御部６は、デコード後の画像データを部分画像信号に変換するよう再生回路３に指示する。これにより、部分画像信号に基づく再生画像信号がテレビジョン１０１に出力され、任意の１つの画像ファイルに基づく画像の一部分が４倍に拡大されてテレビジョン１０１に表示される（図４Ａ参照）。
【００４１】
さらに、制御部６は、光ディスク１００に記録されている４つの画像ファイルの内の少なくとも２つの画像ファイルのファイル名をテレビジョン１０１にＯＳＤ表示する（Ｓ５）。例えば、制御部６は、光ディスク１００に記録されている４つの画像ファイルのファイル名を示す第１のＯＳＤ信号を生成するようOSD処理部８に指示する。これにより、第１のＯＳＤ信号に基づくＯＳＤ画像がテレビジョン１０１に表示される（図４Ａ参照）。
ここで、Ｓ４及びＳ５では、画像ファイル２０２に基づく画像の一部分を４倍に拡大した部分画像と、正解のファイル名を含む複数のファイル名（ＯＳＤ画像）と、がテレビジョン１０１において表示された状態となっている。
【００４２】
そして、それらが表示された状態で、制御部６は、複数のファイル名から正解のファイル名が選択キーで選択されたかどうかを判断する（Ｓ６）。つまり、制御部６は、選択されたファイル名と表示されている部分画像のファイル名が一致するかどうかを判断する。
【００４３】
また、制御部６は、正解のファイル名が選択キーで選択されていないと判断すると、正解のファイル名と異なる不正解のファイル名が選択キーで選択されたかどうかを判断する（Ｓ７）。
【００４４】
即ち、Ｓ６及びＳ７では、ユーザがテレビジョン１０１を確認しつつ、１つのファイル名を選択キーで選択する状態となっている。
【００４５】
Ｓ６において、正解のファイル名が選択キーで選択されると、制御部６は、内蔵するカウンタにおいて、正解数をインクリメントする（Ｓ８）。
【００４６】
そして、制御部６は、選択されたファイル名が正しいことをテレビジョン１０１に表示する（Ｓ９）。詳述すると、制御部６は、選択されたファイル名が正しいことを示す第２のＯＳＤ信号を生成するようＯＳＤ処理部８に指示する。そして、制御部６は、その第２のＯＳＤ信号を再生画像信号として出力するよう画像合成部１３に指示する。この結果、第２のＯＳＤ信号に基づくＯＳＤ画像がテレビジョン１０１に表示される（図４Ｂ参照）。これにより、ユーザは、選択したファイル名が正解であったことを知る。
【００４７】
次に、制御部６は、出題数が所定数以上になったかどうかを判断する（Ｓ１３）。所定数は、例えば３問である。
【００４８】
出題数が所定数未満であると判断すると、制御部６は、内蔵するカウンタにおいて、出題数をインクリメントする（Ｓ１４）。そして、制御部６は、Ｓ３に戻り、次の問題を出題する。つまり、制御部６は、Ｓ１３において出題数が所定数以上になるまで、Ｓ３に戻る。
【００４９】
Ｓ１３において出題数が所定数以上であると判断すると、制御部６は、カウントした正解数をテレビジョン１０１に表示し（Ｓ１５）、本処理を終了する。ユーザは、この表示を見て、何問中何問正解したかを知る。
【００５０】
以上より、光ディスク装置１は、画像ファイルを再生するだけでなく、それ以外の娯楽であるファイル名当てクイズをユーザに提供している。従って、光ディスク装置１の娯楽性を向上することができる。
【００５１】
図５は、クイズの出題例を示す図である。図５Ａは、図４に対応している。図５Ｂでは、画像ファイル２０２に基づく画像の一部分より広い部分を２倍に拡大した部分画像が表示されている。図５Ｃでは、図５Ｂで示される部分画像より広い部分の画像を２倍に拡大した部分画像が表示されている。図５Ｄでは、画像ファイル２０２に基づく画像が表示されている。図５Ｄは、即ち等倍の画像を示している。
【００５２】
一方、Ｓ７において、不正解のファイル名が選択キーで選択されると、制御部６は、現在の倍率を低倍率に変更する（Ｓ１０）。詳述すると、Ｘの倍率を低倍率のＹ倍に変更する。例えば、現在の倍率が４倍であれば、２倍に変更する（図５Ａから図５Ｂへ変更）。
【００５３】
そして、制御部６は、現在の倍率が等倍であるかどうかを判断する（Ｓ１１）。
【００５４】
現在の倍率が等倍でなければ、制御部６は、Ｓ４に戻って低倍率で部分画像を表示し、処理を継続する。詳述すると、低倍率のＹ倍で部分画像を表示する。例えば、２倍で表示する（図５Ｂ参照）。つまり、不正解である限り、現在の倍率が等倍になるまで（図５Ｄ参照）、Ｓ４〜Ｓ７、Ｓ１０、Ｓ１１の動作は、繰り返される。
【００５５】
そして、現在の倍率が等倍になると、制御部６は、等倍図と正解ファイル名（ＯＳＤ画像）とをテレビジョン１０１に表示する（Ｓ１２）。表示方法は、上記Ｓ４、Ｓ５と同様である。そして、制御部６は、Ｓ１３に進み処理を継続する。
【００５６】
以上より、光ディスク装置１は、画像の倍率を変えることで、興趣に富んだファイル名当てクイズをユーザに提供している。従って、光ディスク装置１の娯楽性を一層向上することができる。
【００５７】
また、本発明の実施形態は、以下の変形例を採用することができる。
【００５８】
（第１変形例）
図６は、本発明の実施形態の変形例である光ディスク装置の制御部が行う動作を示すフローチャートである。この動作は、図３のＳ７を削除して、Ｓ２０〜Ｓ２３を新たに追加した動作であり、その他の処理については同じである。
【００５９】
Ｓ４において部分画像を表示すると、制御部６は、タイマー回路において、クイズ時間とは別に、タイマーをスタートする（Ｓ２０）。そして、制御部６は、Ｓ５に進み処理を継続する。即ち、Ｓ２０を設けた理由は、ファイル名（ＯＳＤ画像）をテレビジョン１０１で表示している時間を計測するためである。
【００６０】
制御部６は、Ｓ６において正解のファイル名が選択キーで選択されていないと判断すると、正解のファイル名と異なる不正解のファイル名が選択キーで選択されたかどうかを判断する（Ｓ２１）。
【００６１】
そして、制御部６は、Ｓ２０においてスタートさせたタイマーが一定時間（例えば１０秒）を経過しているかどうかを判断する（Ｓ２２）。
【００６２】
タイマーが一定時間を経過していないければ、制御部６は、Ｓ２において計測開始したクイズ時間が制限時間（例えば５分）を経過しているかどうかを判断する（Ｓ２３）。
ここで、Ｓ６及びＳ２１〜Ｓ２３では、ユーザがテレビジョン１０１を確認しつつ、１つのファイル名を選択キーで選択する状態となっている。
【００６３】
以上より、一定時間以内にファイル名を選択しなければならないため、光ディスク装置１は、興趣に富んだファイル名当てクイズをユーザに提供している。従って、光ディスク装置１の娯楽性を一層向上することができる。
【図面の簡単な説明】
【００６４】
【図１】本発明の実施形態である光ディスク装置の主要な構成を示すブロック図
【図２】光ディスク１００に記録されている画像ファイルの一覧を示す図
【図３】本発明の実施形態である光ディスク装置の制御部が行う動作を示すフローチャート
【図４】クイズの出題例を示す図
【図５】クイズの出題例を示す図
【図６】本発明の実施形態の変形例である光ディスク装置の制御部が行う動作を示すフローチャート
【符号の説明】
【００６５】
１−光ディスク装置
２−ピックアップヘッド
３−再生回路
５−音声処理部
６−制御部
８−ＯＳＤ処理部
９−表示部
１１−記憶部
１２−リモコン
１３−画像合成部
１００−光ディスク
１０１−テレビジョン
２０１〜２０４−画像ファイル
【図１】
2008182519.tif 000003
【図２】
2008182519.tif 000004
【図３】
2008182519.tif 000005
【図４】
2008182519.tif 000006
【図５】
2008182519.tif 000007
【図６】
2008182519.tif 000008